(57)【要約】【課題】装置コストを低減でき、しかも人力だけの場合に比べて洗浄作業者の洗浄作業労力、洗浄作業環境、及び洗浄効率を大幅に改善できる仮設機材洗浄装置を提供する。【解決手段】洗浄部１２と、洗浄部１２に対して仮設機材Ｗを搬入搬出する台車部１４と、を有し、洗浄部１２は、加圧水噴出ガン２２と、加圧水噴出ガン２２の周囲を囲むとともに下部に仮設機材Ｗを搬入搬出するための門型開口が形成された飛散防止チャンバー２６と、を備え、台車部１４は、仮設機材Ｗを載置する金網部材３０が張設され、搬入方向の前方部が洗浄台１６の上に非固定的に置かれ、後方部が洗浄部１２の外部に配置された把手部３２に支持された載置台３４と、洗浄台１６の上で載置台３４を移動自在に支持する全方位移動体３６と、把手部３２に設けられ、載置台３４の後方部を洗浄台１６の高さに支持する脚部４０と、を備えた。【選択図】図１
2019013869.tif 000002
【特許請求の範囲】
【請求項１】
建設足場用の仮設機材を加圧水で洗浄する簡易型の仮設機材洗浄装置において、
前記仮設機材を洗浄する洗浄部と、
前記洗浄部に未洗浄の仮設機材を搬入し、洗浄後の仮設機材を搬出する台車部と、
を有し、
前記洗浄部は、
洗浄台が形成された洗浄ステージと、
前記洗浄台の上方に設けられ、前記加圧水を噴出する噴出ヘッドを有する加圧水噴出ガンと、
前記加圧水噴出ガンの周囲を囲み前記加圧水の飛散を防止するとともに下部に前記仮設機材を搬入搬出するための門型開口が形成された飛散防止チャンバーと、を備え、
前記台車部は、
前記仮設機材を載置する金網部材が張設され、搬入方向の前方部が前記洗浄台の上に非固定的に置かれ、後方部が前記洗浄部の外部に配置された把手部に支持された載置台と、
前記載置台の下面に複数設けられ、前記洗浄台の上で前記載置台を移動自在に支持する全方位移動体と、
前記把手部に設けられ、前記載置台の後方部を前記洗浄台の高さに支持するとともに下端部にキャスターを有する脚部とを備えた簡易型の仮設機材洗浄装置。
【請求項２】
前記洗浄台に非固定的に置かれた前記載置台の前方部が前記洗浄台から脱落しないための脱落防止機構を有する請求項１に記載の簡易型の仮設機材洗浄装置。
【請求項３】
前記脱落防止機構は、
前記洗浄台の周囲に径方向断面が凹状に形成された排水溝のうち前記搬入方向の後方側の排水溝に少なくとも形成され、前記排水溝の外側壁の高さが前記洗浄台の面の高さよりも低い段差溝構造と、
前記台車部の載置台に設けられた全方位移動体のうち前記搬入方向の先端部に設けられた全方位移動体と、で構成され、
前記全方位移動体が前記排水溝に落ちて引っ掛かる大きさに形成されている請求項２に記載の簡易型の仮設機材洗浄装置。
【請求項４】
前記洗浄台における前記噴出ヘッドの真下位置には、前記噴出ヘッドから噴出された前記加圧水が前記洗浄台の面に当たる直径と同等以上である開口部が形成されている請求項１から３の何れか１項に記載の簡易型の仮設機材洗浄装置。
【請求項５】
前記載置台の前記搬入方向の後方端部には、透明板が立設されている請求項１から４の何れか１項に記載の簡易型の仮設機材洗浄装置。
【請求項６】
前記噴出ヘッドの近傍には、前記噴出ヘッドから噴出される加圧水の飛散及び飛沫を前記洗浄台における前記搬入方向の前方側に吹き飛ばすエア噴出ノズルが設けられる請求項１から５の何れか１項に記載の簡易型の仮設機材洗浄装置。
【請求項７】
前記噴出ヘッドには、前記噴出ヘッドの先端よりも突出した筒状のブラシ部材が装着されている請求項１から６の何れか１項に記載の簡易型の仮設機材洗浄装置。
【請求項８】
前記仮設機材の形状に応じて前記仮設機材を前記載置台に固定する固定治具を有し、
前記固定治具は、
前記仮設機材を保持する保持部と、
前記金網部材の開口に着脱自在に挿入することで前記保持部を前記金網部材に固定する挿入脚と、を有する請求項１から７の何れか１項に記載の簡易型の仮設機材洗浄装置。
【請求項９】
前記保持部は、
保持フレームと、
前記保持フレームの複数個所に形成された雌ネジと、
前記雌ネジに螺合する雄ネジが形成された複数本の棒状部材とで構成される請求項８に記載の簡易型の仮設機材洗浄装置。
【発明の詳細な説明】
【技術分野】
【０００１】
本発明は簡易型の仮設機材洗浄装置に係り、特に加圧水噴射ガンから噴出させた加圧水を仮設機材に吹き付けることにより、仮設機材に付着している付着物を除去洗浄する簡易型の仮設機材洗浄装置に関する。
【背景技術】
【０００２】
建設物を建設する際には、パイプ製の建枠、板状の足場板、パイプ製の筋交、パイプ同士を連結して建枠を形成するためのＬ字ジョイント等の建設足場用の仮設機材を用いて足場を建設物の高さに応じて組み立てる。足場を構成するこれらの仮設機材には、コンクリート打設時のコンクリート、外壁塗装時の塗料等の付着物が付着する。したがって、工事完了後に足場を解体した後、次回の工事に備えて付着物を取り除く洗浄作業を行う必要がある。
【０００３】
洗浄方法としては、ワイヤの回転ブラシ、ショットブラスト等で付着物を掻き落とす方法と、加圧水噴出ガンから噴出させた加圧水を仮設機材に吹き付けて付着物を洗浄する方法とがあるが、ワイヤブラシ方式は加圧水方式に比べて騒音や粉塵等で問題がある。
【０００４】
一般的な加圧水方式による仮設機材の洗浄作業としては、洗浄作業者Ａが洗浄する仮設機材を例えばコンクリート等の洗浄床面に置き、洗浄作業者Ｂが手に保持した加圧水噴出ガンから噴射した加圧水を仮設機材に吹き付ける。これにより、仮設機材の表面を洗浄し終わったら、洗浄作業者Ａが仮設機材をひっくり返して裏面を上側とし、洗浄作業者Ｂが加圧水噴出ガンで裏面を洗浄する。即ち、二人の洗浄作業者Ａ，Ｂによって洗浄を行うことで、洗浄作業労力を軽減するとともに洗浄効率を上げている。
【０００５】
しかしながら、人力のみで仮設機材を洗浄することは、洗浄作業労力を十分に軽減できないとともに洗浄効率の十分な向上を達成することはできない。また、仮設機材の洗浄作業に使用する加圧水噴出ガンから噴出される加圧水の噴出圧力は例えば１００ＭＰａの超高圧で危険である。また、加圧水の飛散や飛沫が洗浄作業者にかかるので、作業環境が悪いという問題がある。
【０００６】
このような背景から、本出願人は加圧水方式の仮設機材洗浄装置の自動洗浄化として、特許文献１を提案した。
【０００７】
特許文献１の仮設機材洗浄装置は、仮設機材を、搬入・搬出ステージと洗浄ステージとの間でシャトル搬送する搬送手段と、搬送手段に仮設機材を縦向状態で着脱自在に保持する保持治具と、洗浄ステージ内に対向配置されるとともに加圧水噴出ガンを具備した一対の洗浄用ロボットと、洗浄ステージを囲む洗浄室と、洗浄用ロボット同士が相打ち状態になるのを防止する相打ち防止手段と、搬入・搬出ステージに設けられたハンドリング用ロボットと、搬送手段、洗浄用及びハンドリング用ロボットを少なくとも制御する制御手段と、で構成される。これにより、仮設機材の自動洗浄を行うことができるので、洗浄効率を顕著に向上させることができるだけでなく、洗浄作業者の洗浄作業労力や洗浄作業環境を顕著に改善できる。
【先行技術文献】
【特許文献】
【０００８】
【特許文献１】特開２０１５−２２６８９３号公報
【発明の概要】
【発明が解決しようとする課題】
【０００９】
しかしながら、特許文献１の高度に機械化されて自動洗浄を行うようにした仮設機材洗浄装置は、装置コストが高価であるという問題がある。
【００１０】
このことから、装置コストを低減でき、しかも人力だけの場合よりも洗浄作業者の洗浄作業労力、洗浄作業環境、及び洗浄効率を大幅に改善できる簡易型の仮設機材洗浄装置が要望されている。
【００１１】
本発明はこのような事情に鑑みてなされたもので、洗浄作業者の洗浄作業労力や洗浄作業環境も改善でき、しかも低価格な装置コストを実現できる簡易型の仮設機材洗浄装置を提供することを目的とする。
【課題を解決するための手段】
【００１２】
前記目的を達成するために、本発明に係る簡易型の仮設機材洗浄装置は、建設足場用の仮設機材を加圧水で洗浄する簡易型の仮設機材洗浄装置において、仮設機材を洗浄する洗浄部と、洗浄部に未洗浄の仮設機材を搬入し、洗浄後の仮設機材を搬出する台車部と、を有し、洗浄部は、洗浄台が形成された洗浄ステージと、洗浄台の上方に設けられ、加圧水を噴出する噴出ヘッドを有する加圧水噴出ガンと、加圧水噴出ガンの周囲を囲み加圧水の飛散を防止するとともに下部に仮設機材を搬入搬出するための門型開口が形成された飛散防止チャンバーとを備え、台車部は、仮設機材を載置する金網部材が張設され、搬入方向の前方部が洗浄台の上に非固定的に置かれ、後方部が洗浄部の外部に配置された把手部に支持された載置台と、載置台の下面に複数設けられ、洗浄台の上で載置台を移動自在に支持する全方位移動体と、把手部に設けられ、載置台の後方部を洗浄台の高さに支持するとともに下端部にキャスターを有する脚部と、を備えた。
【００１３】
本発明の簡易型の仮設機材洗浄装置によれば、洗浄作業者は、洗浄する仮設機材を載置台の金網部材の上に載せたら、載置台の前方部が洗浄台に非固定的に置かれ、後方部が把手部を介してキャスターを有する脚部に支持されただけの簡単な構造の台車部を押して載置台を洗浄部の洗浄台に搬入する。
【００１４】
そして、洗浄台において、飛散防止チャンバーで周囲を囲まれた加圧水噴出ガンから仮設機材に加圧水を吹き付けるとともに、洗浄台の上で載置台を全方位移動体によって前後左右に移動させて加圧水が仮設機材に万遍なく吹き付けられるようにする。洗浄作業者は洗浄部での仮設機材の洗浄後、台車部を引いて載置台に載せた仮設機材を洗浄部から搬出する。
【００１５】
このように、本発明の簡易型の仮設機材洗浄装置は、未洗浄の仮設機材を台車部で洗浄部に搬入して飛散防止チャンバー内で洗浄し、洗浄し終わったら洗浄部から搬出するだけの簡易な操作で仮設機材を洗浄することができる。
【００１６】
これにより、装置コストを低減でき、しかも人力だけの場合よりも洗浄作業者の洗浄作業労力、洗浄作業環境、及び洗浄効率を大幅に改善できる。
【００１７】
本発明の別態様において、洗浄台に非固定的に置かれた載置台の前方部が洗浄台から脱落しないための脱落防止機構を有することが好ましい。
【００１８】
これにより、台車部における載置台の前方部が洗浄部の洗浄台に非固定的に置かれているだけの簡易な構造であっても、仮設機材を洗浄部から搬出する際に、載置台の前方部が洗浄台から脱落することがない。したがって、仮に載置台の前方部が洗浄台から脱落した場合には載置台の前方部を洗浄台に載せ直すという余計な作業をなくすことができるので、洗浄作業労力を軽減できる。
【００１９】
本発明の別態様において、脱落防止機構は、洗浄台の周囲に径方向断面が凹状に形成された排水溝のうち搬入方向の後方側の排水溝に少なくとも形成され、排水溝の外側壁の高さが前記洗浄台の面の高さよりも低い段差溝構造と、台車部の載置台に設けられた全方位移動体のうち搬入方向の先端部に設けられた全方位移動体と、で構成され、全方位移動体が排水溝に落ちて引っ掛かる大きさに形成されていることが好ましい。
【００２０】
これにより、載置台に載置した仮設機材を洗浄部から搬出する際に、載置台が洗浄台から脱落する寸前において、載置台の先端部の全方位移動体が洗浄台の排水溝の段差溝構造に引っ掛かるので、載置台の前方部が洗浄台から脱落することがない。
【００２１】
また、仮設機材を洗浄部に搬入する際には、排水溝のうち搬入方向の後方側の排水溝の外側壁の高さが洗浄台の面の高さよりも低い段差溝構造になっており、且つ載置台の後方部は台車部の脚部によって洗浄台の高さに支持されている。したがって、載置台における搬入方向の先端部の全方位移動体が洗浄台に載っていれば、後続の全方位移動体が排水溝に引っ掛かることはない。
【００２２】
本発明の別態様において、洗浄台における噴出ヘッドの真下位置には、噴出ヘッドから噴出された加圧水が洗浄台の面に当たる直径と同等以上である開口部が形成されていることが好ましい。これにより、載置台の金網部材を通過した加圧水が洗浄台の面に当たって飛散することがないので、加圧水の飛沫が飛散防止チャンバーの外部に飛散しにくくなるので、洗浄作業環境を一層改善できる。
【００２３】
本発明の別態様において、載置台の搬入方向の後方端部には、透明板が立設されていることが好ましい。これにより、加圧水が飛散防止チャンバーの外側に飛散したとしても、載置台の透明板によって洗浄作業者に当たるのを防止できるので、洗浄作業環境を一層改善できる。
【００２４】
本発明の別態様において、噴出ヘッドの近傍には、噴出ヘッドから噴出される加圧水の飛散及び飛沫を洗浄台における搬入方向の前方側に吹き飛ばすエア噴出ノズルが設けられることが好ましい。これにより、加圧水が飛散防止チャンバーの外側に飛散して洗浄作業者に当たることを更に防止できるので、洗浄作業環境を一層改善できる。
【００２５】
本発明の別態様において、噴出ヘッドには、噴出ヘッドの先端よりも突出した筒状のブラシ部材が装着されていることが好ましい。このように、噴出ヘッドの先端から筒状のブラシ部材を突出させることで、加圧水が周囲に飛散しにくくなるとともに、加圧水の噴出音を小さくできるので、洗浄作業環境を一層改善できる。
【００２６】
本発明の別態様において、仮設機材の形状に応じて仮設機材を前記載置台に固定する固定治具を有し、固定治具は、仮設機材を保持する保持部と、金網部材の開口に着脱自在に挿入することで保持部を金網部材に固定する挿入脚と、を有することが好ましい。これにより、超高圧な加圧水が仮設機材に吹き付けられても、仮設機材が載置台上で動いたり飛び跳ねたりすることがない。したがって、動いた仮設機材を置き直す手間が必要ないので、洗浄作業労力を軽減できるだけでなく作業効率も良くなる。
【００２７】
固定治具としては、保持部は、保持フレームと、保持フレームの複数個所に形成された雌ネジと、雌ネジに螺合する雄ネジが形成された複数本の棒状部材とで構成されることが好ましい。これにより、色々な形状の仮設機材に対応することができる。
【発明の効果】
【００２８】
本発明の簡易型の仮設機材洗浄装置によれば、装置コストを低減でき、しかも人力だけの場合に比べて洗浄作業者の洗浄作業労力、洗浄作業環境、及び洗浄効率を大幅に改善できる。
【図面の簡単な説明】
【００２９】
【図１】本発明の簡易型の仮設機材洗浄装置の全体構成を示す斜視図
【図２】主として洗浄部の上面図
【図３】洗浄部の側面図
【図４】台車部の上面図
【図５】台車部の側面図
【図６】加圧水噴出ガンの噴出ヘッドの一例を示す概略断面図
【図７】加圧水噴出ガンの噴出ヘッドの近傍を説明する斜視図
【図８】洗浄部の汚染水回収機構を説明する斜視図
【図９】固定治具の一態様を説明する斜視図
【図１０】固定治具の別態様を説明する斜視図
【図１１】固定治具の別態様を説明する斜視図
【図１２】固定治具の別態様を説明する斜視図
【図１３】固定治具を使用して仮設機材を載置台の金網部材に固定した斜視図
【発明を実施するための形態】
【００３０】
以下添付図面に従って、本発明に係る簡易型の仮設機材洗浄装置の好ましい実施の形態について詳述する。
【００３１】
＜簡易型の仮設機材洗浄装置の全体構成＞
図１は、本発明の実施の形態の仮設機材洗浄装置の全体構成を示す斜視図である。図２は主として洗浄部の上面図であり、図３は洗浄部の側面図である。図４は台車部の上面図であり、図５は台車部の側面図である。
【００３２】
これらの図に示すように、仮設機材洗浄装置１０は、主として、仮設機材Ｗ（図１１〜図１３参照）を洗浄する洗浄部１２と、洗浄部１２に対して未洗浄の仮設機材Ｗを搬入し、洗浄後の仮設機材Ｗを搬出する台車部１４と、で構成される。そして、洗浄作業者Ｐが、洗浄部１２に対して台車部１４を押したり引いたりすることで、仮設機材Ｗを洗浄部１２に搬入搬出する。
【００３３】
なお、以下の説明において、洗浄部１２に対して台車部１４で仮設機材Ｗを搬入する搬入方向Ａ及び搬出する搬出方向Ｂを洗浄部１２及び台車部１４の長手方向（Ａ−Ｂ方向）と言い、長手方向に直交するＸ−Ｙ方向を洗浄部１２及び台車部１４の短手方向又は幅方向と言う。また、洗浄部１２及び台車部１４の長手方向において、搬入方向Ａの側を前、搬出方向Ｂの側を後と言う。
【００３４】
図１、図２、図３に示すように、洗浄部１２は、主として、洗浄台１６を有する洗浄ステージ１８と、洗浄台１６の上方に設けられ、加圧水を噴出する噴出ヘッド２０を有する加圧水噴出ガン２２と、加圧水噴出ガン２２の周囲を囲み加圧水の飛散を防止するとともに下部に仮設機材Ｗを搬入搬出するための門型開口２４が形成された飛散防止チャンバー２６と、を備える。この場合、洗浄台１６で仮設機材Ｗを洗浄することにより生じる洗浄汚染水を回収する汚染水回収機構２８を設けることが好ましい。
【００３５】
また、図１、図４、図５に示すように、台車部１４は、主として、仮設機材Ｗを載置する金網部材３０が張設され、搬入方向Ａの前方部が洗浄台１６の上に非固定的に置かれ、後方部が洗浄部１２の外部に配置された把手部３２に支持された載置台３４と、載置台３４の下面に複数設けられ、洗浄台１６の上で載置台３４を移動自在に支持する全方位移動体３６（図５参照）と、把手部３２に設けられ、載置台３４の後方部を洗浄台１６の高さに支持するとともに下端部にキャスター３８を有する脚部４０とを備える。
【００３６】
＜洗浄部の詳細構造＞
図２、図３に示すように、洗浄部１２の洗浄ステージ１８は、主として、周囲に径方向断面が凹状の排水溝４６が形成された洗浄台１６と、台座４４を介して洗浄台１６を支持する基台フレーム１９とで構成される。洗浄台１６と台座４４との関係は、短手方向の両側端部に側板４２，４２が立設された長方形状の台座４４の上に、周囲に排水溝４６を有し台座４４と略同一サイズの長方形な洗浄台１６を載置固定される。
【００３７】
図３に示すように、台座４４の側板４２は洗浄台１６の面の位置よりも高くなるように形成される。また、洗浄台１６の周囲に形成された径方向断面が凹状の排水溝４６のうち、少なくとも洗浄台１６の後側（Ｂ方向側）に形成された排水溝４６Ａの外側壁４６Ｂ（図１及び図３参照）の高さが洗浄台１６の面１６Ａの高さよりも低くなる段差溝構造に形成される。この段差溝構造は、載置台３４の前方部が洗浄台１６の上（面１６Ａと同義）に非固定的に支持されている台車部１４を洗浄部１２に対して搬出方向Ｂに移動させたときに、載置台３４が洗浄台１６から脱落しないための脱落防止機構４８の構成の一部を形成する。脱落防止機構４８についての詳しい説明は後述する。
【００３８】
飛散防止チャンバー２６は、上下が解放された四角筒状のチャンバー部５０と、チャンバー部５０の下部に形成された門型開口２４と、チャンバー部５０の後側（Ｂ方向側）の下端、即ち門型開口２４の上端から洗浄台１６の面１６Ａまで垂れ下がった複数枚の短冊状部材５２，５２…とで構成される。
【００３９】
チャンバー部５０は、四角筒を形成するフレーム部材５４に透明窓５６（例えば透明アクリル板）を嵌め込むことにより、チャンバー部５０の内部が外部から見えるようになっている。これにより、加圧水噴出ガン２２の噴出ヘッド２０から噴出される加圧水の噴出状況及び仮設機材Ｗが洗浄されている洗浄状況を目視で観察することができる。
【００４０】
また、チャンバー部５０の後面側（Ｂ方向側の面）の中央面部には、フレーム部材５４にヒンジ５８を介して開閉自在に支持されるとともに、ロック部材６０により閉成状態でロック可能な開閉窓６２（図１参照）が形成される。これにより、開閉窓６２を開成することで、飛散防止チャンバー２６の内部に配設する加圧水噴出ガン２２の取り付け作業、取り外し作業、噴出ヘッド２０の調整等を行うことができる。
【００４１】
また、チャンバー部５０の下部に門型開口２４を形成することで、チャンバー部５０の下端面と洗浄台１６の面１６Ａとの間に、仮設機材Ｗを載置した台車部１４の載置台３４が通過可能な開口空間部が形成される。即ち、門型開口２４の高さは台車部１４の載置台３４に仮設機材Ｗを載置した状態で通過可能な高さであることが必要である。また、門型開口２４の開口空間部の上方には加圧水噴出ガン２２の噴出ヘッド２０が配置されており、載置台３４に載置されている仮設機材Ｗが門型開口２４を通過した後に仮設機材Ｗに加圧水が吹き付けられる。
【００４２】
また、門型開口２４に透明な短冊状部材５２を複数枚垂れ下げることにより、噴出ヘッド２０から噴出された加圧水がチャンバー部５０の後側（Ｂ方向側）から外部に飛散することを防止する。なお、図１では、チャンバー部５０の後側のうち、載置台３４が通過する中央部には短冊状部材５２を設けていないが、設けることもできる。
【００４３】
図３に示すように、加圧水噴出ガン２２は、飛散防止チャンバー２６内に縦方向（地面に垂直な方向）に配設される。加圧水噴出ガン２２は、洗浄台１６の上方に配置された噴出ヘッド２０と、噴出ヘッド２０の上方に配置された接続アダプタ６４と、噴出ヘッド２０と接続アダプタ６４とを繋ぐ加圧水パイプ６６とで構成される。そして、加圧水パイプ６６の途中がチャンバー部５０のフレーム部材５４に支持された保持部材６８によって保持される。
【００４４】
なお、加圧水パイプ６６を保持部材６８に着脱自在に保持できるように保持部材６８を構成すれば、洗浄部１２から加圧水噴出ガン２２のみを取り外して単独で使用することもできる。保持部材６８と加圧水パイプ６６との着脱構造としては、例えば、ネジで締め付ける構造を採用することができるが、工具不要で容易に着脱できるようにトグルクランプを用いたクランプ構造を採用することが望ましい。
【００４５】
そして、超高圧プランジャポンプ（不図示）からの高圧水が、高圧水供給ホース７０、接続アダプタ６４、加圧水パイプ６６を通して加圧水噴出ガン２２に供給される。また、図１に示すように、洗浄部１２の側方には、加圧水噴出ガン２２をＯＮ−ＯＦＦするためのスイッチボタン７４が設けられる。これにより、スイッチボタン７４をＯＮにすると、噴出ヘッド２０からは超高圧な加圧水がジェット流となって洗浄台１６に向けて噴出される。噴出ヘッド２０から噴出される加圧水の圧力は３０〜３００ＭＰａ、より好ましくは１００〜１５０ＭＰａの範囲である。また、噴出ヘッド２０から噴出される加圧水の水量は１５〜２５リットル／分の範囲が好ましい。
【００４６】
図６は噴出ヘッド２０の一例を示す概略断面図であり、加圧水パイプ６６の先端部にノズルヘッド７６が設けられ、ノズルヘッド７６の先端面（洗浄台１６に向いた面）に複数のノズル７８，７８…が設けられる。ノズルヘッド７６は円筒状のヘッドカバー８０で覆われており、ノズル７８側の面が開口され、ノズル７８反対面側が加圧水パイプ６６に支持される。
【００４７】
また、噴出ヘッド２０のヘッドカバー８０の周囲には、ヘッドカバー８０の先端より突出した筒状のブラシ部材８２を装着することもできる。ブラシ部材８２はブラシ毛が群集した部材であり、噴出ヘッド２０にブラシ部材８２を装着することにより、加圧水が周囲に飛散すること防止できるとともに加圧水の噴出音を小さくする消音効果を期待できる。なお、図示しないが、加圧水パイプ６６を中心としてノズルヘッド７６を回転させる回転機構を設けることもできる。
【００４８】
噴出ヘッド２０の先端面（下端面）から洗浄台１６の面１６Ａまでの距離Ｈ（図３参照）は、台車部１４の載置台３４に載置した仮設機材Ｗが通過でき且つ噴出ヘッド２０から噴出した加圧水で効率的に仮設機材Ｗを洗浄できる高さが必要である。噴出ヘッド２０にブラシ部材８２を装着した場合には、ブラシ部材８２の先端面（下端面）から洗浄台１６の面１６Ａまでの距離Ｈは、載置台３４に載置した仮設機材Ｗが通過できるような距離にすることが必要である。したがって、チャンバー部５０の保持部材６８に保持する加圧水噴出ガン２２の保持位置を適宜調整すればよい。
【００４９】
加圧水噴出ガン２２の保持位置の調整を容易にするために、加圧水噴出ガン２２を保持した保持部材６８が、フレーム部材５４に対して昇降自在となるように昇降装置（不図示）を取り付けることが好ましい。昇降装置としては、どのようなものを採用しても良いが、例えば、光学顕微鏡の鏡筒を上下動させる機構と同様なラックアンドピニオン機構を採用することできる。その際、任意の位置で確実に固定できるようなロック機構を設けることが望ましい。
【００５０】
また、被洗浄物に対して、垂直方向（真上）からではなく、斜めから加圧水を当てることができるように、保持部材６８に傾動機構（不図示）が設置されていることが望ましい。傾動機構としては、例えば、保持部材６８がフレーム部材５４に対して回動可能とするための一方に固定された軸と、その軸を回動可能に受ける他方に固定された軸受と、所定の回転角度で固定するロック機構とで構成することができる。
【００５１】
これにより、保持部材６８をフレーム部材５４に対して所定の角度まで回転させて固定することで加圧水噴出ガン２２を傾け、被洗浄物に対して斜めから加圧水を当てることができる。図３において、フレーム部材５４に対して保持部材６８を回動させて傾けると、加圧水噴出ガン２２は、短手方向に傾くので斜め短手方向から被洗浄物に加圧水を当てることができる。
【００５２】
被洗浄物に対して斜め長手方向から加圧水を当てるようにしたい場合は、図３において、加圧水噴出ガン２２の長手方向を回転軸として保持部材６８を９０度回転させてフレーム部材５４に設置する構成を採用すれば良い。
【００５３】
これにより、その状態で保持部材６８を回動させて傾ければ、長手方向の斜めから加圧水を被洗浄物に当てることができる。斜め長手方向から、特に、搬出方向Ａから搬出方向Ｂにかけて斜めに（加圧水噴出ガン２２の先端が洗浄作業者にとって手前に来るように傾けて）仮設洗浄機材に加圧水を当てることが好ましく、その場合は、特に長尺な仮設洗浄機材の形状についての評価の結果、垂直方向から１５度までの角度（特に１５度の角度）で加圧水を当てることにより、洗浄効果が高いことが判明した。
【００５４】
よって、仮設洗浄機材の本発明に係る装置での洗浄においては、加圧水噴出ガン２２は、その先端が洗浄作業者にとって手前に来るように垂直から１５度までの傾動が可能であることが好ましい。それ以上の角度で傾動させても大きな洗浄効果が期待できず意味が無いばかりか装置コストが高くなる。
【００５５】
長尺でない仮設洗浄機材は、設置時に向きを調整すればよいが、長尺の仮設洗浄機材は、本発明の装置では、長手方向をＡ−Ｂ方向として設置するしかない。その場合、様々な種類の長尺の仮設洗浄機材について加圧水を当てる角度と洗浄効果を研究したところ、垂直方向から１５度までの角度（特に１５度の角度）で加圧水を当てることにより、洗浄効果が高いことが判明したものである。
【００５６】
また、本実施の形態では、加圧水噴出ガン２２を1台設けたが、洗浄台１６の長手方向（または長手方向と垂直な方向）に沿って複数台設けることもできる。この場合は、複数台の加圧水噴出ガン２２を１つの飛散防止チャンバー２６で囲むようにしてもよく、１台の加圧水噴出ガン２２を１つの飛散防止チャンバー２６で囲んだものを複数台配列させてもよい。
【００５７】
また、図７に示すように、噴出ヘッド２０の近傍には、噴出ヘッド２０から噴出される加圧水の飛散及び飛沫を洗浄台１６の前方（Ａ方向）に吹き飛ばす複数のエア噴出ノズル８４，８４…を設けることが好ましい。これにより、台車部１４を洗浄部１２に搬入して仮設機材Ｗを洗浄するときに、噴出ヘッド２０から噴出した加圧水の飛散及び飛沫が洗浄作業者Ｐ（図１参照）にかかることを一層防止できる。本発明者は、本発明の試作品を作製し評価したところ、作業者Ｐに加圧水が飛散し、作業性が悪いことを発見した。そこで、鋭意工夫の結果、エア噴出ノズル８４を設けることで、作業者Ｐへの加圧水の飛散を防止できることを見いだし、実際の試作品で実験したところ極めて良好な結果を得た。
【００５８】
また、この場合、図７に示すように、洗浄台１６の面１６Ａにおける噴出ヘッド２０の真下位置に、噴出ヘッド２０から噴出された加圧水が洗浄台１６の面１６Ａに当たる直径と同等以上である開口部８６を形成することが好ましく、同等な開口部８６を形成することがより好ましい。
【００５９】
仮設機材Ｗの形状は板状の足場板（図示せず）のように板状の他に、棒状、三角状、Ｌ字状のパイプ等があり、その形状や大きさは多種多様である。したがって、噴出ヘッド２０から噴出した加圧水の全てが載置台３４の金網部材３０に載置した仮設機材Ｗに当たることは稀であり、金網部材３０を通過して洗浄台１６に当たることが通常である。洗浄台１６に当たった加圧水は飛沫となって飛散するので、作業環境が悪くなる。
【００６０】
しかしながら、本実施の形態のように、洗浄台１６の面１６Ａにおける噴出ヘッド２０の真下位置に、上記した開口部８６を形成することにより、金網部材３０を通過した加圧水が開口部８６を通過し、洗浄台１６に衝突しなくなるので、飛沫の発生を抑制できる。
【００６１】
図３及び図８に示すように、汚染水回収機構２８は、洗浄台１６に形成した開口部８６から洗浄台１６の下方に延設された筒体８８と、洗浄台１６の周囲に形成されて洗浄台１６に溜まった洗浄汚染水を排出する排水溝４６と、洗浄台１６の下方に設けられ、筒体８８を通過した洗浄汚染水及び排水溝４６に流れ込んだ洗浄汚染水が流入する貯留タンク９０と、を備える。貯留タンク９０は基台フレーム１９内に配置される。
【００６２】
洗浄台１６から排水溝４６に流れ込んだ洗浄汚染水は、排水溝４６から斜め下方に延設された２本の排水管路９２，９２を介して貯留タンク９０に流れ込む。
【００６３】
また、筒体８８の下面は閉塞し、筒体８８の側部から延設された流出管９４から貯留タンク９０に排出されることが好ましい。筒体８８の下面が開口されていると、噴出ヘッド２０から噴出して筒体８８を通過する加圧水が、貯留タンク９０内に貯留された洗浄汚染水に直撃してしまい、洗浄汚染水が外部に飛び散り易くなる。しかしながら、本実施の形態のように、筒体８８の下面を閉塞し、筒体８８の側部に設けた流出管９４から貯留タンク９０に排出することで洗浄汚染水の飛び散りを防止できる。
【００６４】
また、貯留タンク９０には、溜まった洗浄汚染水を排出するバルブ９６Ａ付きの排出管９６が設けられるとともに、複数のキャスター９８，９８…が設けられる（図３参照）。これにより、貯留タンク９０が洗浄汚染水で満杯になったら、貯留タンク９０を廃水処理施設等に移動させて洗浄汚染水を処理することができる。
【００６５】
＜台車部の詳細構造＞
図４、図５に示すように、台車部１４の載置台３４は、台車部１４の長手方向（Ａ−Ｂ方向）に長尺な平行な２本の縦木１００，１００の間に複数本の横木１０２，１０２…（図４では６本）を渡した長方形状のフレーム枠１０４に、金網部材３０を張設して形成される。金網部材３０としては、エキスパンダメタル、パンチングメタル、金網、グレーチング等のように多数の開口を有するメッシュ部材を使用できるが、エキスパンダメタルが最も好ましい。縦木１００の高さは金網部材３０の面よりも高くなるように形成される（図５参照）。
【００６６】
載置台３４の長手方向（Ａ−Ｂ方向）の長さは洗浄台１６の長さと略同等に形成され、短手方向（Ｘ−Ｙ方向）の幅は洗浄台１６の幅よりも狭く形成される。例えば、載置台３４の幅Ｄ１は洗浄台１６の幅Ｄ２の半分程度が好ましい（図２参照）。これにより、載置台３４を洗浄台１６の上で前後左右に動かすことができるので、載置台３４に載置された仮設機材Ｗに対して噴出ヘッド２０からの加圧水を万遍なく吹き付けることができ、洗浄効果を向上できる。
【００６７】
全方位移動体３６は、載置台３４のフレーム枠１０４に設けた横木１０２の下面に複数個設けられる。図４では、各横木１０２に３個ずつ全方位移動体３６を設け、載置台３４に合計１８個設けた場合であるが、この数に限定されるものではない。要は、載置台３４が洗浄台１６の上で前後左右にスムーズに移動できればよい。全方位移動体３６としては、載置台３４が洗浄台１６の上で前後左右にスムーズに移動できればどのようなものでもよいが、１個のメインボールを多数のサブボールで受け、それらを支えるボール受け部から構成されたボールベアーが好ましい。本実施の形態では、ボールベアーで図示している。
【００６８】
図１及び図５に示すように、載置台３４の基端部（載置台のＢ方向の端部）を支持する把手部３２と脚部４０とは一体的に形成され、載置台３４の基端部から略逆Ｌ字状に延びた２本の平行な縦パイプ１０６，１０６の間に２本の横パイプ１０８，１０８を渡して形成される。２本の横パイプ１０８のうちの１本は縦パイプ１０６のＬ字状の折曲位置に設けられ、もう１本の横パイプ１０８は縦パイプ１０６の下部位置に設けられる。
【００６９】
２本の平行な縦パイプ１０６，１０６の下端にキャスター３８が設けられ、キャスター３８は仮設機材洗浄装置１０が配設される床面３９上を走行する。
【００７０】
そして、洗浄作業者Ｐが上側の横パイプ１０８を把持して台車部１４を押したり引いたりすることで洗浄部１２の洗浄台１６に載置台３４に載置した仮設機材Ｗを搬入、搬出する。なお、横パイプ１０８の数は２本に限定するものではなく、また洗浄作業者Ｐが把持する位置は上側の横パイプ１０８に限定するものではない。
【００７１】
また、図１及び図５に示すように、載置台３４の基端部には、載置台３４の幅と同等で上述した飛散防止チャンバー２６の門型開口２４と同じ高さ〜１０ｃｍ程高い透明板１１０（例えばアクリル板）が立設される。
【００７２】
また、上述したように、台車部１４の載置台３４の前方部が洗浄部１２の洗浄台１６に非固定的に置かれているだけであるため、台車部１４には載置台３４が洗浄台１６から脱落するのを防止する脱落防止機構４８が設けられる。
【００７３】
脱落防止機構４８は、図２に示すように、洗浄台１６の周囲に径方向断面が凹状に形成された排水溝４６のうち後方側（Ｂ方向側）の排水溝４６Ａに少なくとも形成され、排水溝４６Ａの外側壁４６Ｂの高さが洗浄台１６の面１６Ａの高さよりも低い段差溝構造と、台車部１４の載置台３４に設けられた全方位移動体３６のうち搬入方向Ａの先端部に設けられた全方位移動体３６Ａとで構成され、全方位移動体３６Ａが排水溝４６Ａに引っ掛かる大きさに形成される。
【００７４】
これにより、洗浄部１２で洗浄後の仮設機材Ｗを搬出するために、台車部１４の載置台３４を搬出方向Ｂに引っ張ったとき、載置台３４が洗浄台１６から脱落する寸前において、載置台３４の先端部の全方位移動体３６Ａが洗浄台１６の後側の排水溝４６Ａに落ちて引っ掛かる。したがって、台車部１４の搬出方向Ｂへの移動が停止されるので、台車部１４の載置台３４の前方部が洗浄台１６から脱落するのを防止できる。
【００７５】
また、仮設機材Ｗを洗浄部１２に搬入する際には、搬入方向Ａの後方側の排水溝４６Ａの外側壁４６Ｂの高さが洗浄台１６の面１６Ａの高さよりも低い段差溝構造になっており、且つ載置台３４の後方部は台車部１４の脚部４０によって洗浄台１６の高さに支持されている。したがって、載置台３４における搬入方向Ａの先端部の全方位移動体３６Ａが洗浄台１６に載ってさえいれば、後続の全方位移動体３６が排水溝４６Ａに引っ掛かることはない。したがって、台車部１４の載置台３４をスムーズに搬入移動させることができる。
【００７６】
このように、洗浄台１６に形成した排水溝４６Ａを段差溝構造に形成するだけの簡単な構成によって、脱落防止機構４８としての特別な部材を必要とせずに、脱落防止機構４８を構築することができる。
【００７７】
なお、脱落防止機構４８は、上述した排水溝４６Ａと全方位移動体３６Ａとの関係で構成する以外に、例えば、台車部１４の載置台３４に設けた出没ピン（図示せず）が排水溝４６Ａに出没する構成とすることもできる。この場合、出没ピンの先端にボールベアーを設ければ、載置台３４の洗浄台１６上でのスムーズな移動を阻害しない。この脱落防止機構４８の場合にも洗浄台１６の排水溝４６Ａを脱落防止機構４８の構成の一部として利用するので、簡素な構成で脱落防止機構４８を構築することができる。
【００７８】
＜仮設機材の固定治具＞
本発明の実施の形態の簡易型の仮設機材洗浄装置１０には、仮設機材Ｗを載置台３４の金網部材３０に固定する各種の固定治具１１２を有することが好ましい。
【００７９】
仮設機材Ｗの形状は板状の足場板（図示せず）のように安定した状態で載置台３４に載置可能な板状の物の他に棒状、三角状、Ｌ字状等があり、その形状や大きさは多種多様である。一方、加圧水噴出ガン２２の噴出ヘッド２０から噴出される加圧水の噴出圧力は上述の通り超高圧である。したがって、仮設機材Ｗを載置台３４に固定しないと、加圧水の勢いによって仮設機材Ｗが動いてしまい洗浄効率が悪くなる。
【００８０】
図９から図１２は各種の固定治具１１２を示したものである。
固定治具１１２は、主として、仮設機材Ｗの形状に応じて仮設機材Ｗを保持する保持部１１４と、載置台３４の金網部材３０の開口に着脱自在に挿入することで保持部１１４を金網部材３０に固定する挿入脚１１６と、で構成される。
【００８１】
図９の（Ａ）の固定治具１１２は、保持部１１４を、保持フレーム１１４Ａと複数本の棒状部材１１４Ｂとで構成し、保持フレーム１１４Ａの複数個所に形成した雌ネジＳ１に棒状部材１１４Ｂの下部に刻設した雄ネジＳ２を着脱自在に螺合できるように構成したものである。また、図９の（Ｂ）の固定治具１１２は、保持フレーム１１４Ａの形状を格子形状にすることで、より複雑な形状の仮設機材Ｗを固定できるようにしたものである。
【００８２】
これらの固定治具１１２を使用するには、仮設機材Ｗの形状に応じて、保持フレーム１１４Ａに複数本の棒状部材１１４Ｂを立設して仮設機材Ｗを棒状部材１１４Ｂに係合し、挿入脚１１６を金網部材３０の開口に挿入する。
【００８３】
このように、棒状部材１１４Ｂを保持フレーム１１４Ａの複数個所に着脱自在に立設できるように保持部１１４を構成することで、例えば三角状パイプやＬ字状パイプのように複雑な形状の仮設機材Ｗを金網部材３０に固定することができるだけでなく、新規な形状の仮設機材Ｗにも対応できる。
【００８４】
なお、洗浄する仮設機材Ｗの形状や大きさの種類が決まっている場合には、棒状部材１１４Ｂを保持フレーム１１４Ａに着脱自在にさせないで固定した構造にすることもできる。
【００８５】
図１０の固定治具１１２は、棒状パイプのように棒状の仮設機材Ｗを載置台３４の金網部材３０に固定するのに好適なものであり、半円状の保持面１１４Ｃを有する保持部１１４に４本の挿入脚１１６を設けたものである。この固定治具１１２を載置台３４の金網部材３０に間隔を置いて複数個一列に並べて挿入脚１１６を金網部材３０に挿入し、保持部１１４の半円状の保持面１１４Ｃに棒状の仮設機材Ｗを載置する。
【００８６】
図１１の固定治具は、Ｌ字鋼等のように径方向断面がＬ字状の仮設機材Ｗを載置台３４の金網部材３０に固定するのに適したものであり、９０°角のＶ字状凹が形成された保持面１１４Ｃを有する保持部１１４に４本の挿入脚１１６を設けたものである。
【００８７】
図１２の固定治具１１２は、図１１の固定治具１１２とペアで使用すると便利であり、９０°角のＶ字状凸が形成された保持面１１４Ｃを有する保持部１１４に４本の挿入脚１１６を設けたものである。
【００８８】
また、図１０から図１２の固定治具１１２に示すように、保持部１１４の厚みが薄い場合には、保持部１１４の下部に鍔１１８を設けて鍔１１８に挿入脚１１６を形成するとよい。これにより、固定治具１１２の挿入脚１１６を金網部材３０の開口に挿入したときに、鍔１１８が金網部材３０の面に接面する面積が大きく成るので、固定治具１１２が安定する。
【００８９】
＜簡易型の仮設機材洗浄装置の使用方法＞
洗浄作業者Ｐは、図１に示すように、台車部１４の載置台３４を洗浄部１２の洗浄台１４から引き出した状態にする。この場合、載置台３４の前方部に設けた脱落防止機構４８が洗浄台１６の排水溝４６Ａに落ちる手前まで載置台３４を引き出す。
【００９０】
次に、洗浄作業者Ｐは、固定治具１１２を使って洗浄する仮設機材Ｗを載置台３４の金網部材３０に固定する。例えば、図１３は、図９の（Ａ）の固定治具１１２を使って三角パイプ状の仮設機材Ｗを載置台３４の金網部材３０に固定した場合である。なお、足場板のような板状で重量が大きな仮設機材Ｗは、そのまま載置台３４に載置しても問題ない。
【００９１】
次に、洗浄作業者Ｐは、スイッチボタン７４を押し、加圧水噴出ガン２２の噴出ヘッド２０から加圧水を噴出させる。この状態で台車部１４の把手部３２をもって台車部１４を洗浄部１２の搬入方向Ａに押し、載置台３４に載置した仮設機材Ｗが飛散防止チャンバー２６の門型開口２４を通過するようにする。仮設機材Ｗが門型開口２４を通過した後に噴出ヘッド２０から噴出された加圧水が仮設機材Ｗにジェット流となって吹き付けられ、仮設機材Ｗが洗浄される。
【００９２】
この仮設機材Ｗの洗浄において、載置台３４に全方位移動体３６を設けたことにより、載置台３４を洗浄台１６の上で左右前後にスムーズに移動させながら洗浄できる。これにより、仮設機材Ｗに万遍なく加圧水のジェット流を吹き付けることができるので、例えば、図１３に示すような形状の複雑な仮設機材Ｗであっても隅々まで洗浄することができる。
【００９３】
洗浄によって生じる洗浄汚染水は、金網部材３０を通過して洗浄台１６に流れ、排水溝４６を介して貯留タンク９０に貯留される。このように、洗浄によって生じる洗浄汚染水は、載置台３４に溜まることがないので、洗浄汚染水中の汚染物が仮設機材Ｗに再付着することはない。
【００９４】
また、洗浄部１２に飛散防止チャンバー２６を設けることにより、仮設機材Ｗを洗浄部１２で洗浄する際に、加圧水の飛沫が洗浄作業者Ｐや洗浄部１２の周囲に飛散することを効果的に防止できる。
【００９５】
更には、噴出ヘッド２０の真下位置に開口部８６を形成したので、仮設機材Ｗに当たらずに金網部材３０を通過した加圧水が洗浄台１６の面１６Ａで飛散することがない。
【００９６】
また、噴出ヘッド２０の近傍に、噴出ヘッド２０から噴出される加圧水の飛散及び飛沫を洗浄台１６の前方に吹き飛ばす複数のエア噴出ノズル８４を設けたので、加圧水の飛沫が洗浄作業者Ｐに飛散して洗浄作業者Ｐの衣服等を濡らすことを効果的に防止できる。
【００９７】
更には、台車部１４の載置台３４の基端部に透明板１１０が立設されているので、加圧水の飛沫が洗浄作業者Ｐに飛散して洗浄作業者の衣服等を濡らすことをすることを一層効果的に防止できる。
【００９８】
仮設機材Ｗを洗浄し終わったら、洗浄作業者Ｐはスイッチボタン７４を押して加圧水噴出ガン２２の駆動を停止する。そして、台車部１４の載置台３４を洗浄部１２の洗浄台１６から引き出す。この場合、脱落防止機構４８を設けたので、載置台３４の前方部が洗浄台１６から脱落することがない。脱落した場合、載置台３４の前方部を洗浄台１６に載せ直すという余計な作業が必要になるので、脱落防止機構４８を設けることで洗浄作業者Ｐの洗浄作業労力を軽減できる。
【００９９】
そして、載置台３４の固定治具１１２から仮設機材Ｗを取り外す。これにより、仮設機材Ｗを洗浄することができる。仮設機材Ｗの下面（載置台側の面）を更に洗浄する場合には、仮設機材Ｗをひっくり返して設置し、上記した同様の操作で仮設機材Ｗの下面を洗浄する。
【０１００】
このように、本発明の簡易型の仮設機材洗浄装置１０は、未洗浄の仮設機材Ｗを台車部１４で洗浄部１２に搬入して飛散防止チャンバー２６内で洗浄し、洗浄し終わったら洗浄部１２から搬出するだけの簡易な操作で仮設機材Ｗを洗浄することができる。したがって、例えば１人の洗浄作業者Ｐでも仮設機材Ｗを容易に洗浄することができる。しかも、仮設機材洗浄装置１０は上述の通り簡易な構成であり、装置コストを低減できる。
【０１０１】
これにより、本発明の実施の形態の仮設機材洗浄装置１０は、装置コストを低減でき、しかも人力だけの場合よりも洗浄作業者Ｐの洗浄作業労力、洗浄作業環境、及び洗浄効率を大幅に改善できる。
【符号の説明】
【０１０２】
１０…簡易型の仮設機材洗浄装置、１２…洗浄部、１４…台車部、１６…洗浄台、１６Ａ…洗浄台の面、１８…洗浄ステージ、１９…基台フレーム、２０…噴出ヘッド、２２…加圧水噴出ガン、２４…門型開口、２６…飛散防止チャンバー、２８…汚染水回収機構、３０…金網部材、３２…把手部、３４…載置台、３６（３６Ａ）…全方位移動体、３８…キャスター、３９…床面、４０…脚部、４２…側板、４４…台座、４６（４６Ａ）…排水溝、４６Ｂ…外側壁、４８…脱落防止機構、５０…チャンバー部、５２…短冊状部材、５４…フレーム部材、５６…透明窓、５８…ヒンジ、６０…ロック部材、６２…開閉窓、６４…接続アダプタ、６６…加圧水パイプ、６８…保持部材、７０…高圧水供給ホース、７４…スイッチボタン、７６…ノズルヘッド、７８…ノズル、８０…ヘッドカバー、８２…ブラシ部材、８４…エア噴出ノズル、８６…開口部、８８…筒体、９０…貯留タンク、９２…排水管路、９４…流出管、９６…排出管、９８…キャスター、１００…縦木、１０２…横木、１０４…フレーム枠、１０６…縦パイプ、１０８…横パイプ、１１０…透明板、１１２…固定治具、１１４…保持部、１１４Ａ…保持フレーム、１１４Ｂ…棒状部材、１１４Ｃ…保持面、１１６…挿入脚、１１８…鍔、Ｗ…仮設機材、Ｐ…洗浄作業者、Ｓ１…雌ネジ、Ｓ２…雄ネジ
【図１】
2019013869.tif 000003
【図２】
2019013869.tif 000004
【図３】
2019013869.tif 000005
【図４】
2019013869.tif 000006
【図５】
2019013869.tif 000007
【図６】
2019013869.tif 000008
【図７】
2019013869.tif 000009
【図８】
2019013869.tif 000010
【図９】
2019013869.tif 000011
【図１０】
2019013869.tif 000012
【図１１】
2019013869.tif 000013
【図１２】
2019013869.tif 000014
【図１３】
2019013869.tif 000015